(57)【要約】【課題】  各制御装置で保持される会議トランクを相互に利用することで、小規模から中規模のシステムで会議通話を運用可能とする電話システムを提供する。【解決手段】  複数の制御装置がネットワークを介して、システム間通話で接続され、制御装置１が、有する会議トランク１１の空き数を監視し、会議トランク１１の空き数が呼び出す全ての端末台数より多いと判定すると、当該会議トランク１１を用いてグループ会議通話を実現し、会議トランク１１の空き数が呼び出す全ての端末台数より少ないと判定すると、他局の制御装置２に対して他局の会議トランク２１の空き数を問い合わせ、空き数が呼び出す端末台数より多い場合に、制御装置２に対してシステム間通話により会議トランク２１を用いてグループ会議通話を実現する電話システムである。【選択図】        図１
2011040868.tif 000002
【特許請求の範囲】
【請求項１】
会議トランクを有し、接続する基地局を介して、端末を前記会議トランクに参加させる制御装置を複数備える電話システムであって、
前記複数の制御装置がネットワークを介して、システム間通話で接続され、
前記制御装置は、有する会議トランクの空き数を監視し、前記会議トランクの空き数が呼び出す全ての端末台数より多いと判定すると、当該会議トランクを用いてグループ会議通話を実現し、前記会議トランクの空き数が呼び出す全ての端末台数より少ないと判定すると、他局の制御装置に対して他局会議トランクの空き数を問い合わせ、当該空き数が呼び出す端末台数より多い会議トランクを有する制御装置に対してシステム間通話により当該会議トランクを用いてグループ会議通話を実現することを特徴とする電話システム。
【発明の詳細な説明】
【技術分野】
【０００１】
本発明は、システム間通話が可能な電話システムに係り、特に、各システムでの会議トランクを効果的に組み合わせることで、システム全体の規模を大きくすることなく、大規模な会議通話の開催を実現できる電話システムに関する。
【背景技術】
【０００２】
［従来の技術］
システム間通話が可能で、各システムで会議トランクを有する電話システムとして、グループ会議通話可能な無線内線電話システムがある。
従来の無線内線電話システムにおいて、会議通話を制御する会議トランクは、制御基板若しくはその周辺の専用基板に、音声合成のチップを搭載し、ハードウェアで会議通話の波形処理を行っている。
【０００３】
［従来の無線内線電話システム：図８］
従来の無線内線電話システムについて図８を参照しながら説明する。図８は、従来の無線内線電話システムの構成図である。
従来の無線内線電話システムは、図８に示すように、無線内線電話制御装置１００内に、端末に対する発呼及び着呼を制御する呼制御部１０１と、グループ会議通話を実現する会議トランク１０２と、接続する基地局の制御を行う基地局制御部１０３とを備え、基地局制御部１０３に接続する複数の基地局５０を介して端末６１〜６３が会議トランク１０２に接続してグループ会議通話を行うようになっている。
【０００４】
［一般的な無線ＩＰ電話システム：図９］
また、近年、ＩＰ（Internet Protocol）電話が利用されるようになり、会議通話用のサーバ群を用意してソフトウェアで波形合成の処理を行う方式が主流になりつつある。このような無線ＩＰ電話システムについて図９を参照しながら説明する。図９は、一般的な無線ＩＰ電話システムの構成図である。
【０００５】
一般的な無線ＩＰ電話システムは、図９に示すように、呼制御サーバ２０１と、会議サーバ２０２と、基地局制御部２０３とをネットワークで接続し、基地局制御部２０３には基地局２０４が接続され、当該基地局２０４のエリア内に位置登録された端末６１〜６３が会議サーバ２０２に接続してグループ会議に参加するようになっている。
【０００６】
［関連技術］
尚、関連する先行技術として、特開２００２−２１８０６８号公報「通信システム」（出願人：株式会社日立国際電気）［特許文献１］がある。
特許文献１には、通信システムにおいて、中央装置に、グループ会議通信中の通信端末から出力される音声データを合成する複数の会議トランクと、各々の会議トランクで合成された音声データを更に合成する上位会議トランクとを設け、上位会議トランクにおける合成結果を通信端末に出力することが示されている。
【先行技術文献】
【特許文献】
【０００７】
【特許文献１】特開２００２−２１８０６８号公報
【発明の概要】
【発明が解決しようとする課題】
【０００８】
しかしながら、上記従来の電話システムにおいて、特に図８のシステムでは、ハードウェアでの会議通話はコンパクトでシステムへの負荷が小さく、安定しているという利点があるものの、決められた会議の人数、会議の数などの構成を変更することが難しいという問題点があった。
【０００９】
また、上記従来の電話システムにおいて、特に図９のシステムでは、ソフトウェアでの会議通話はシステムの構成を容易に変更でき、多くのサーバを用意して分散処理させれば、いくらでも処理容量を増やせるという利点があるが、小さなシステムに組み込むと処理能力の確保が難しく、制御基板上の演算装置で呼制御と演算処理を共有するとなると、システム全体を不安定にしてしまうおそれがあり、また、ハードウェアの会議通話に比べて大きな資源を要求するため、小さくまとめるのは難しく、費用も高くなるという問題点があった。
【００１０】
本発明は上記実情に鑑みて為されたもので、各制御装置で保持される会議トランクを相互に利用することで、小規模から中規模のシステムで会議通話を運用可能とする電話システムを提供することを目的とする。
【課題を解決するための手段】
【００１１】
上記従来例の問題点を解決するための本発明は、会議トランクを有し、接続する基地局を介して、端末を前記会議トランクに参加させる制御装置を複数備える電話システムであって、複数の制御装置がネットワークを介して、システム間通話で接続され、制御装置が、有する会議トランクの空き数を監視し、会議トランクの空き数が呼び出す全ての端末台数より多いと判定すると、当該会議トランクを用いてグループ会議通話を実現し、会議トランクの空き数が呼び出す全ての端末台数より少ないと判定すると、他局の制御装置に対して他局の会議トランクの空き数を問い合わせ、当該空き数が呼び出す端末台数より多い会議トランクを有する制御装置に対してシステム間通話により当該会議トランクを用いてグループ会議通話を実現することを特徴とする。
【発明の効果】
【００１２】
本発明によれば、会議トランクを有し、接続する基地局を介して、端末を前記会議トランクに参加させる制御装置を複数備える電話システムであって、複数の制御装置がネットワークを介して、システム間通話で接続され、制御装置が、有する会議トランクの空き数を監視し、会議トランクの空き数が呼び出す全ての端末台数より多いと判定すると、当該会議トランクを用いてグループ会議通話を実現し、会議トランクの空き数が呼び出す全ての端末台数より少ないと判定すると、他局の制御装置に対して他局の会議トランクの空き数を問い合わせ、当該空き数が呼び出す端末台数より多い会議トランクを有する制御装置に対してシステム間通話により当該会議トランクを用いてグループ会議通話を実現するようにしているので、各制御装置での会議トランクを相互に利用することで、小規模から中規模のシステムで会議通話を運用できる効果がある。
【図面の簡単な説明】
【００１３】
【図１】本発明の実施の形態に係る電話システムの構成ブロック図である。
【図２】多段構成の電話システムの概略図である。
【図３】会議トランクの使用パターン１の説明図である。
【図４】会議トランクの使用パターン２の説明図である。
【図５】会議トランクの使用パターン３の説明図である。
【図６】会議トランクの使用パターン４の説明図である。
【図７】本電話システムの会議トランクへの基本接続処理を示すフローチャートである。
【図８】従来の無線内線電話システムの構成図である。
【図９】一般的な無線ＩＰ電話システムの構成図である。
【発明を実施するための最良の形態】
【００１４】
本発明の実施の形態について図面を参照しながら説明する。
［実施の形態の概要］
本発明の実施の形態に係る電話システムは、会議トランクを有する制御装置を複数ネットワークで接続し、自局の制御装置の会議トランクの空き数が呼び出す全ての端末台数より多ければ、当該会議トランクを用いてグループ会議通話を実現し、自局の制御装置の会議トランクの空き数が呼び出す全ての端末台数より少なければ、他局の制御装置に対して会議トランクの空き数を問い合わせ、空き数が呼び出す全ての端末台数より多い会議トランクを有する制御装置に対してシステム間通話により当該会議トランクを用いてグループ会議通話を実現するものであり、小規模から中規模のシステムでグループ会議通話を運用できる。
【００１５】
［本電話システム：図１］
本発明の実施の形態に係る電話システムについて図１を参照しながら説明する。図１は、本発明の実施の形態に係る電話システムの構成ブロック図である。
本発明の実施の形態に係る電話システム（本電話システム）は、図１に示すように、ネットワーク（例えば、ＬＡＮ：Local Area Network）を介して制御装置１，２，３が接続し、制御装置１，２，３には会議トランク１１，２１，３１と基地局制御部１２，２２，３２を備えている。
【００１６】
また、基地局制御部１２，２２，３２には、複数の基地局５１，５２，５３が接続され、位置登録された端末６１，６２，６３が管理する制御装置の会議トランクに呼接続して会議通話を行う。
【００１７】
尚、本電話システムにおける制御装置は、図８に示した無線内線電話制御装置の構成と同様であるが、説明を簡単にするために、必要でない箇所を省略している。
従って、本電話システムにおける会議通話を制御する会議トランクは、制御基板若しくはその周辺の専用基板に、音声合成のチップを搭載し、ハードウェアで会議通話の波形処理を行っているものである。
【００１８】
［本電話システムの各部］
本電話システムの各部について具体的に説明する。
制御装置１，２，３は、端末（例えば、無線内線電話端末）６１〜６３が登録され、グループ会議の登録、グループ会議通話の開始、特番の処理を行い、他の制御装置との間でシステム間通話を行う。
また、制御装置は、接続された他の制御装置に会議トランクの状態の問い合わせを行い、その問い合わせ結果を受け取り、また、基地局や端末について管理する機能を有する。
【００１９】
本電話システムの処理概要について図１を参照しながら説明する。
図１において、制御装置１の会議トランク１１でグループ会議通話が開催される場合、制御装置１が管理する端末６１は、基地局５１を経由して制御装置１の会議トランク１１に接続する（直接接続）。
【００２０】
また、制御装置３が管理する端末６３は、基地局５３を経由して制御装置３に接続し、制御装置３からネットワーク経由で制御装置１の会議トランク１１に接続する（ネットワーク経由接続）。
【００２１】
また、制御装置２が管理する端末６２は、基地局５２を経由して制御装置２の会議トランク２１に接続し、会議トランク２１からネットワーク経由で制御装置１の会議トランク１１に接続する（会議トランク経由接続）。
【００２２】
［多段構成の電話システム：図２］
以下のパターン１〜４の会議トランクへの接続方法を実行した場合、呼び出した端末の台数がどの会議トランクの空きにも収まらない場合には、図２のように、親会議トランクの下に、ツリー状に会議トランクからの音声を接続し、一つの大きな会議トランクとして使用する形態となる。図２は、多段構成の電話システムの概略図である。
【００２３】
図２において、大きな会議トランク（１）に他の会議トランク（２）〜（４）を接続する場合には、会議トランク（４）の下位の会議トランク（５）に接続された端末の台数を考慮して、会議トランク（１）は出力音声を調整する。つまり、グループ会議通話に参加する全ての端末で、同じ音量となるよう調整する。具体的には、会議トランク（５）に接続する端末６７，６８への音声出力を他の端末への音声出力より大きくする。
【００２４】
以上のことを考慮すると、複数の会議トランクを使用する際には、まず、できるだけ会議トランク数が少なくなるようなグループ会議通話を実現することが望ましい。
そのためには、大きな空きのある会議トランクから使用する。
【００２５】
また、会議トランクが多段になると、音声の劣化などのリスクを考慮しなければならないため、一つの端末が経由する会議トランクの段数が少なくなるように、多段で使用する会議トランクは、可能な限り親会議トランクに直接接続するようにする。
【００２６】
［システム間通話を利用した会議トランクの使用例］
以下に４つの会議トランクの使用パターンについて図３〜６を用いて説明する。
［パターン１：図３］
会議トランクの使用パターン１について図３を参照しながら説明する。図３は、会議トランクの使用パターン１の説明図である。
パターン１は、図３に示すように、呼び出す全ての端末を制御装置１の会議トランク１１に直接接続する例である。
【００２７】
パターン１では、制御装置１は、呼び出す全ての端末の台数が会議トランク１１の空きより少ない場合であり、制御装置１は、会議トランク１１の空き状況を監視し、「呼び出す全ての端末の台数≦会議トランクの空き数」の場合に、パターン１の接続を行う。
【００２８】
具体的には、制御装置１の管理下にある端末６１は、グループ会議通話を開催するために、会議トランク１１に接続し、制御装置１は、呼び出す端末の台数に対して会議トランクの空き数が多いと判定すると、会議トランク１１は、制御装置１の管理下にある端末６２に呼を接続する。
また、会議トランク１１は、制御装置２の管理下の端末６３，６４を呼び出すために、制御装置１と制御装置２をシステム間通話で接続し、端末６３，６４に呼を接続する。
以上のように、呼び出す端末が登録されている制御装置の会議トランク１１が、「呼び出す全ての端末の台数≦会議トランクの空き数」の場合には、会議トランク１１を第一優先とする。
【００２９】
［パターン２：図４］
次に、会議トランクの使用パターン２について図４を参照しながら説明する。図４は、会議トランクの使用パターン２の説明図である。
パターン２は、図４に示すように、システム間通話で他の制御装置の会議トランクに接続する例である。
この場合、制御装置２は、制御装置１に会議トランク１１の空きの状況を問い合わせ、制御装置１は、その空き状況を監視し、「呼び出す端末の台数≦会議トランクの空き数」の場合に、制御装置２に空き状況を通知（応答）してパターン２の接続を行う。
【００３０】
パターン２では、制御装置２の管理下にある端末６４が、グループ会議通話を制御装置１の会議トランク１１で開催するために、制御装置２に接続し、制御装置２は会議トランク１１の空き数を制御装置１に問い合わせ、応答内容から会議トランク１１に全ての端末が収容可能であると判断されると、制御装置２は制御装置１にシステム間通話で接続し、更に会議トランク１１に接続する。
会議トランク１１は、制御装置１の管理下の端末６１，６２に呼を接続し、更に、会議トランク１１は、制御装置２の管理下の端末６３を呼び出すために、制御装置１と制御装置２をシステム間通話で接続し、端末６３に呼を接続する。
以上のようなパターン２は、会議トランク１１が会議通話を行う端末数の容量以上に空きがあり、さらには最も空き数の大きな会議トランクである場合に行うパターンである。また、会議トランクはなるべく一つの会議トランクにまとめて接続することが好ましい。
【００３１】
［パターン３：図５］
次に、会議トランクの使用パターン３について図５を参照しながら説明する。図５は、会議トランクの使用パターン３の説明図である。
パターン３は、図５に示すように、システム間通話で他の制御装置の会議トランクに接続し、更にシステム間通話で自局の制御装置の会議トランクに接続する例である。
この場合は、制御装置１は、会議トランク１１の空き状況を監視し、「呼び出す端末の台数＞会議トランクの空き数」の場合に、パターン３の接続を行う。
【００３２】
パターン３では、制御装置１の管理下にある端末６２が、グループ会議通話を制御装置１の会議トランク１１で開催するために、制御装置１に接続する。
制御装置１は、会議トランク１１の空き状況を監視しており、制御装置１は、呼び出す全ての端末の台数より会議トランク１１の空き数が少ないと判定すると、制御装置１は、制御装置２にシステム間通話を利用して接続し、制御装置１を介して会議トランク１１に接続できなかった端末を収容可能な会議トランク２１に接続する。
【００３３】
更に、会議トランク２１は制御装置２に接続して、制御装置２から制御装置１へシステム間通話を利用して会議トランク２１からの音声を会議トランク１１の一つに接続する。
そして、制御装置１の会議トランク１１は、制御装置１の管理下の端末６１，６２に呼を接続すると共に、制御装置１と制御装置２をシステム間通話で接続し、制御装置２の管理下の端末６３，６４に呼を接続する。
以上により、呼び出す端末が登録されている制御装置の会議トランクを第一優先とすべきであるが、該制御装置の会議トランクに空き容量がない場合には、足りない分を別の制御装置の会議トランクで賄うことができる。
【００３４】
［パターン４：図６］
次に、会議トランクの使用パターン４について図６を参照しながら説明する。図６は、会議トランクの使用パターン４の説明図である。
パターン４は、図６に示すように、各々管理する制御装置の会議トランクを経由して他の制御装置の会議トランクに接続する例である。
この場合は、制御装置２は、会議トランク２１の空き状況を監視し、「呼び出す端末の台数＞会議トランクの空き数」の場合に、パターン４の接続を行う。
【００３５】
パターン４では、制御装置２の管理下にある端末６３が、会議トランク２１に接続し、更に、制御装置２が呼び出す全ての端末の台数より会議トランク２１の空き数が少ないと判定すると、制御装置２は、制御装置１にシステム間通話を利用して接続し、全ての端末を収容可能な会議トランク１１に接続する。
【００３６】
会議トランク１１は、制御装置１の管理下にある端末６１，６２に呼を接続し、更に、制御装置１は、会議トランク１１からの音声をシステム間通話により制御装置２に接続し、制御装置２の管理下にある端末６３，６４に呼を接続する。
これにより、空き数が少なく制御装置１の会議トランク１１に接続できなかった端末を制御装置２の会議トランク２１に接続することができる。
【００３７】
［基本接続処理：図７］
以上、パターン１〜４の会議トランクへの接続処理を説明したが、次に、本電話システムにおける典型的な会議トランクへの基本接続処理について図７を参照しながら説明する。図７は、本電話システムの会議トランクへの基本接続処理を示すフローチャートである。
図７に示すように、端末が登録された自局の制御装置は、管理下の端末からグループ会議通話の要求があると、その制御装置の会議トランクに呼び出す全ての端末数分の空きがあるか否かを判定する（Ｓ１）。
【００３８】
自局の制御装置の会議トランクに呼び出す全ての端末数分の空きがあれば（Ｙｅｓの場合）、自局の制御装置の会議トランクに全ての端末を接続する処理を行い（Ｓ２）、処理を終了する。
【００３９】
自局の制御装置の会議トランクに呼び出す全ての端末数分の空きがなければ（Ｎｏの場合）、他局の制御装置の会議トランクの空き状態を他局の制御装置に問い合わせ、応答を得る（Ｓ３）。
そして、空きの多い他局の制御装置の会議トランクに接続し（Ｓ４）、接続した他局の制御装置の会議トランクの音声出力を自局の制御装置の会議トランクに接続する（Ｓ５）。
【００４０】
続いて、自局の制御装置の会議トランクに接続できなかった端末を他局の制御装置の会議トランクを介して接続し（Ｓ６）、処理を終了する。
このように、本電話システムでは、自局の制御装置の会議トランクに空きがない場合には、他局の制御装置に問い合わせて、空きのある他局の会議トランクを利用して自局の制御装置の会議トランクに接続する。
【００４１】
［実施の形態の効果］
本電話システムによれば、会議トランクを有する制御装置を複数ネットワークで接続し、自局の制御装置の会議トランクが呼び出す全ての端末台数を収容できれば、当該会議トランクを用いてグループ会議通話を実現し、自局の制御装置の会議トランクが呼び出す全ての端末台数を収容できなければ、他局の制御装置に対して端末台数を収容できる会議トランクを有するか否かを問い合わせ、収容可能な会議トランクを有する制御装置に対してシステム間通話により当該会議トランクを用いてグループ会議通話を実現するようにしているので、小規模から中規模のシステムでグループ会議通話を運用できる効果がある。
【産業上の利用可能性】
【００４２】
本発明は、各制御装置で保持される会議トランクを相互に利用することで、小規模から中規模のシステムで会議通話を運用可能とする電話システムに好適である。
【符号の説明】
【００４３】
１，２，３…制御装置、  １１，２１，３１…会議トランク、  １２，２２，３２…基地局制御部、  ５０，５１，５２，５３…基地局、  ６１〜６８…端末、  １００…無線内線電話制御装置、  １０１…呼制御部、  １０２…会議トランク、  １０３…基地局制御部、  ２０１…呼制御サーバ、  ２０２…会議サーバ、  ２０３…基地局制御部、  ２０４…基地局
【図１】
2011040868.tif 000003
【図２】
2011040868.tif 000004
【図３】
2011040868.tif 000005
【図４】
2011040868.tif 000006
【図５】
2011040868.tif 000007
【図６】
2011040868.tif 000008
【図７】
2011040868.tif 000009
【図８】
2011040868.tif 000010
【図９】
2011040868.tif 000011